(57)【要約】      （修正有）【課題】小さな記憶容量で迅速に放送局名を特定できる放送受信装置、放送受信装置の制御方法、及び放送受信装置の制御プログラムを提供する。【解決手段】放送受信装置１００は、放送局名を伝達するための第１文字情報と放送局名以外の文字情報を含む第２文字情報とを伝達可能なデータ信号を音声信号に多重化した放送電波を受信する。放送電波を受信可能な受信部１１０と、受信された放送電波からデータ信号を取得するデータ信号取得部１４１と、取得されたデータ信号から、第１文字情報と第２文字情報とを取得する文字情報取得部１４３と、第１文字情報と第２文字情報との比較結果に基づいて、受信された放送電波の送信元である放送局名を特定する放送局名特定部１４４と、を備える。【選択図】図１
2018152658.tif 000002
【特許請求の範囲】
【請求項１】
放送局名を伝達するための第１文字情報と前記放送局名以外の文字情報を含む第２文字情報とを伝達可能なデータ信号を音声信号に多重化した放送電波を受信する放送受信装置であって、
前記放送電波を受信可能な受信部と、
前記受信された放送電波からデータ信号を取得するデータ信号取得部と、
前記取得されたデータ信号から、前記第１文字情報と前記第２文字情報とを取得する文字情報取得部と、
前記第１文字情報と前記第２文字情報との比較結果に基づいて、前記受信された放送電波の送信元である前記放送局名を特定する放送局名特定部と、
を備える、放送受信装置。
【請求項２】
前記放送局名特定部が、異なる時点で取得された複数の前記第１文字情報から、前記第１文字情報として１回以上現れる１種類以上の候補文字列を抽出し、
前記放送局名特定部が、前記候補文字列と前記第２文字情報とを比較することにより前記比較結果を取得し、
前記放送局名特定部が、前記比較結果に基づいて前記第２文字情報に含まれない前記候補文字列が１種類であると判定した場合、前記第２文字情報に含まれない前記候補文字列を前記放送局名として特定する、
請求項１に記載の放送受信装置。
【請求項３】
前記放送局名特定部が、前記候補文字列ごとに、前記複数の第１文字情報における前記候補文字列の出現頻度を数え、
前記放送局名特定部が、前記比較結果と前記出現頻度とに基づいて前記放送局名を特定する、
請求項２に記載の放送受信装置。
【請求項４】
前記放送局名特定部は、前記比較結果に基づいて前記第２文字情報に含まれない前記候補文字列が１種類でないと判定されることと、前記第１文字情報として１回以上現れる前記１種類以上の候補文字列のうち前記出現頻度の最も多い前記候補文字列が１種類であることとの両方が満たされるとき、前記出現頻度の最も多い前記候補文字列を前記放送局名として特定する、
請求項３に記載の放送受信装置。
【請求項５】
前記放送局名特定部は、前記比較結果に基づいて前記第２文字情報に含まれない前記候補文字列が１種類でないと判定されることと、前記第１文字情報として１回以上現れる前記１種類以上の候補文字列のうち前記出現頻度の最も多い前記候補文字列が２種類以上であることとの両方が満たされるとき、少なくとも１つのキーワードを含む前記候補文字列を、前記放送局名として特定する、
請求項４に記載の放送受信装置。
【請求項６】
前記放送局名特定部は、さらに、前記第１文字情報と１つ以上のキーワードとの比較結果に基づいて前記放送局名を特定する、
請求項１乃至請求項４の何れか一項に記載の放送受信装置。
【請求項７】
前記放送局名特定部は、異なるタイミングで取得された複数の前記第１文字情報が互いに異なることに応答して、前記放送局名を特定することを開始する、
請求項１乃至請求項６の何れか一項に記載の放送受信装置。
【請求項８】
放送局名を伝達するための第１文字情報と前記放送局名以外の文字情報を含む第２文字情報とを伝達可能なデータ信号を音声信号に多重化した放送電波を受信する放送受信装置の制御方法であって、
前記放送電波を受信するステップと、
前記受信された放送電波から前記データ信号を取得するステップと、
前記取得されたデータ信号から、前記第１文字情報と前記第２文字情報とを取得するステップと、
前記第１文字情報と前記第２文字情報との比較結果に基づいて、前記受信された放送電波の送信元である前記放送局名を特定するステップと、
を含む、放送受信装置の制御方法。
【請求項９】
コンピュータに請求項８に記載の放送受信装置の制御方法を実行させる放送受信装置の制御プログラム。
【発明の詳細な説明】
【技術分野】
【０００１】
本発明は、放送受信装置、放送受信装置の制御方法、及び放送受信装置の制御プログラムに関し、特に、放送局から受信したデータに基づいて放送局名を特定する放送受信装置、放送受信装置の制御方法、及び放送受信装置の制御プログラムに関する。
【背景技術】
【０００２】
特許文献１に記載のように、欧州では、ＦＭ（Ｆｒｅｑｕｅｎｃｙ  ｍｏｄｕｌａｔｉｏｎ）ラジオ放送において、音声信号とデータ信号とを多重化した放送電波を送信するＲＤＳ（Ｒａｄｉｏ  ｄａｔａ  ｓｙｓｔｅｍ）と呼ばれる方式が採用されている。放送受信装置は、放送電波から音声信号とデータ信号とを分離して、音声信号に基づいて音声を出力すると共に、データ信号に基づいて各種の情報を取得する。
【０００３】
データ信号により送信される情報の一例として、ＰＳ（Ｐｒｏｇｒａｍ  ｓｅｒｖｉｃｅ  ｎａｍｅ）情報とＲＴ（Ｒａｄｉｏ  ｔｅｘｔ）情報とが挙げられる。ＰＳ情報は、放送局名に関連する最大８文字の文字情報である。ＲＤＳの規格によると、ＰＳ情報は、放送局名のみを表すことになっている。ＲＴ情報は、番組名、曲名、天気予報、広告等の最大６４文字の文字情報である。しかし、実際には、放送局の独自の運用により、ＰＳ情報として放送局名以外の情報を送信するダイナミックＰＳ方式と呼ばれる方式が採用される場合がある。ダイナミックＰＳ方式では、ＰＳ情報が、例えば、ＲＴ情報の一部を含む。
【０００４】
そのため、ダイナミックＰＳ方式では、ＰＳ情報から放送局名を特定することができない。特許文献２に記載された放送受信装置では、ダイナミックＰＳ方式で放送局名を特定するため、予め放送受信装置の記憶装置に記憶した放送局名と受信したＰＳ情報とを比較し、記憶した放送局名に一致したＰＳ情報を放送局名として採用する。
【先行技術文献】
【特許文献】
【０００５】
【特許文献１】国際公開第２０１２／０７３４６４号
【特許文献２】特開２０１４−１２７９０１号明細書
【発明の概要】
【発明が解決しようとする課題】
【０００６】
しかしながら、特許文献１に記載の方法では、存在するすべての放送局名を予め記憶している必要があるため、記憶装置に膨大な記憶容量が必要となるという不利益、比較に長い時間がかかるという不利益、及び、放送局名の変更に対応できないという不利益がある。
【０００７】
本発明はかかる事情に鑑みてなされたものであり、その目的は、小さな記憶容量で迅速に放送局名を特定できる放送受信装置、放送受信装置の制御方法、及び放送受信装置の制御プログラムを提供することにある。
【課題を解決するための手段】
【０００８】
本発明は、放送局名を伝達するための第１文字情報と放送局名以外の文字情報を含む第２文字情報とを伝達可能なデータ信号を音声信号に多重化した放送電波を受信する放送受信装置であって、放送電波を受信可能な受信部と、受信された放送電波からデータ信号を取得するデータ信号取得部と、取得されたデータ信号から、第１文字情報と第２文字情報とを取得する文字情報取得部と、第１文字情報と第２文字情報との比較結果に基づいて、受信された放送電波の送信元である放送局名を特定する放送局名特定部と、を備える、放送受信装置である。
【０００９】
この構成によれば、すべての放送局名を記憶しておく必要がなく、かつ、記憶された放送局名のすべてと第１文字情報とを比較する必要がないため、小さな記憶容量で迅速に放送局名を特定できる。
【００１０】
好適には本発明の放送受信装置において、放送局名特定部が、異なる時点で取得された複数の第１文字情報から、第１文字情報として１回以上現れる１種類以上の候補文字列を抽出し、放送局名特定部が、候補文字列と第２文字情報とを比較することにより比較結果を取得し、放送局名特定部が、比較結果に基づいて第２文字情報に含まれない候補文字列が１種類であると判定した場合、第２文字情報に含まれない候補文字列を放送局名として特定する。
【００１１】
この構成によれば、放送局名でない可能性の高い第２文字情報に含まれる候補文字列を排除して、正確に放送局名を特定することができる。
【００１２】
好適には本発明の放送受信装置において、放送局名特定部が、候補文字列ごとに、複数の第１文字情報における候補文字列の出現頻度を数え、放送局名特定部が、比較結果と出現頻度とに基づいて放送局名を特定する。
【００１３】
この構成によれば、放送局名を伝達するための第１文字情報は放送局名を伝達する可能性が高いという推定に基づいて、正確に放送局名を特定することができる。
【００１４】
好適には本発明の放送受信装置において、放送局名特定部は、比較結果に基づいて第２文字情報に含まれない候補文字列が１種類でないと判定されることと、第１文字情報として１回以上現れる１種類以上の候補文字列のうち出現頻度の最も多い候補文字列が１種類であることとの両方が満たされるとき、出現頻度の最も多い候補文字列を放送局名として特定する。
【００１５】
この構成によれば、出現頻度を反映してさらに正確に放送局名を特定することができる。これは、放送局名を伝達するための第１文字情報は放送局名を伝達する可能性が高いという推定に基づく。なお、第２文字情報に含まれない候補文字列が１種類であると判定されない場合として、第２文字情報に含まれない候補文字列が２種類以上であると判定される場合と、すべての候補文字列が第２文字情報に含まれると判定される場合との少なくとも一方が含まれる。
【００１６】
好適には本発明の放送受信装置において、放送局名特定部は、比較結果に基づいて第２文字情報に含まれない候補文字列が１種類でないと判定されることと、第１文字情報として１回以上現れる１種類以上の候補文字列のうち出現頻度の最も多い候補文字列が２種類以上であることとの両方が満たされるとき、少なくとも１つのキーワードを含む候補文字列を、放送局名として特定する。
【００１７】
この構成によれば、放送局名に含まれる可能性の高いキーワードを予め用意しておくことで、放送局名の特定精度を高めることができる。
【００１８】
好適には本発明の放送受信装置において、放送局名特定部は、さらに、第１文字情報と１つ以上のキーワードとの比較結果に基づいて放送局名を特定する。
【００１９】
この構成によれば、放送局名の特定に関連するキーワードを予め用意しておくことで、放送局名の特定精度を高めることができる。
【００２０】
好適には本発明の放送受信装置において、放送局名特定部は、異なるタイミングで取得された複数の第１文字情報が互いに異なることに応答して、放送局名を特定することを開始する。
【００２１】
この構成によれば、ダイナミックＰＳ方式で第１文字情報が送信された可能性の高い場合に、正確に放送局名を特定することができる。
【００２２】
本発明は、放送局名を伝達するための第１文字情報と放送局名以外の文字情報を含む第２文字情報とを伝達可能なデータ信号を音声信号に多重化した放送電波を受信する放送受信装置の制御方法であって、放送電波を受信するステップと、受信された放送電波からデータ信号を取得するステップと、取得されたデータ信号から、第１文字情報と第２文字情報とを取得するステップと、第１文字情報と第２文字情報との比較結果に基づいて、受信された放送電波の送信元である放送局名を特定するステップと、を含む、放送受信装置の制御方法である。
【００２３】
本発明は、コンピュータに上記の放送受信装置の制御方法を実行させる放送受信装置の制御プログラムである。
【発明の効果】
【００２４】
本発明によれば、小さな記憶容量で迅速に放送局名を特定できる。
【図面の簡単な説明】
【００２５】
【図１】本発明の実施形態に係る放送受信装置のブロック図である。
【図２】図１に示す放送受信装置の第１制御方法を説明するためのフロー図である。
【図３】図１の記憶装置に記憶される第１文字情報テーブルの一例を示す。
【図４】図１の記憶装置に記憶される第２文字情報テーブルの一例を示す。
【図５】図１に示す放送受信装置の第２制御方法を説明するためのフロー図である。
【図６】図１に示す放送局名特定部が作成する第１判定テーブルを示す。
【図７】図１に示す放送局名特定部が作成する第２判定テーブルを示す。
【図８】図１に示す放送局名特定部が作成する第３判定テーブルを示す。
【図９】図１に示す放送局名特定部が作成する第４判定テーブルを示す。
【図１０】図１に示す放送局名特定部が作成する第５判定テーブルを示す。
【発明を実施するための形態】
【００２６】
（全体の説明）
以下、本発明の実施形態に係る放送受信装置について説明する。図１は、本実施形態の放送受信装置１００のブロック図である。図示しない放送局が、ヨーロッパで採用されているＲＤＳと呼ばれる方式により、音声信号とデータ信号とを多重化したＦＭラジオの放送電波を送信する。放送受信装置１００は、放送電波を受信して、音声信号から音声を再生する機能と、データ信号から文字情報を取得する機能とを搭載している。
【００２７】
放送局は、データ信号によりＰＳ情報とＲＴ情報とを送信する。データ信号には、他の情報も含まれる。データ信号により送信される文字情報は、一度にすべて送信されてもよく、分割して送信されてもよい。
【００２８】
ＰＳ情報は、ＲＤＳの規格に基づいた、放送局名を伝達するための最大８文字の文字情報である。ＰＳ情報は、一例において定期的に送信される。ＰＳ情報の内容は一定の場合と、経時的に変化する場合とがある。他の例において、ＰＳ情報の最大文字数は、８文字以外であってもよい。本明細書では、ＰＳ情報を第１文字情報と呼ぶ場合がある。
【００２９】
ＲＴ情報は、ＲＤＳの規格に基づいた、番組名、曲名、天気予報、広告等の最大６４文字の文字情報である。ＲＴ情報は、一例において定期的に送信される。ＲＴ情報の内容は一定の場合と、経時的に変化する場合とがある。他の例において、ＲＴ情報の最大文字数は６４文字以外であってもよい。ＲＴ情報は、主として放送局名以外の文字情報を含むが、放送局名を含む場合もある。本明細書では、ＲＴ情報を第２文字情報と呼ぶ場合がある。
【００３０】
ＲＤＳの規格によると、ＰＳ情報は、放送局名のみを表すことになっている。しかし、実際には、放送局の独自の運用により、ＰＳ情報として放送局名以外の情報を送信するダイナミックＰＳ方式と呼ばれる方式が採用される場合がある。ダイナミックＰＳ方式では、ＰＳ情報が、例えば、ＲＴ情報の一部を含む。
【００３１】
（放送受信装置の構成）
放送受信装置１００は、放送電波を受信可能な受信部１１０と、操作者からの操作を受け付ける操作部１２０と、記憶装置１３０と、放送電波から音声信号とデータ信号を取り出して後述の処理を実行する制御部１４０と、制御部１４０から出力される音声信号を再生する音声信号処理装置１５０と、制御部１４０からの指示に応じて文字を表示する表示装置１６０とを含む。放送受信装置１００は、放送電波から音声信号とデータ信号を分離して、音声信号に基づいて音声を出力すると共に、データ信号に基づいて各種の情報を取得する。
【００３２】
受信部１１０は、ＦＭラジオ放送の放送電波を受信可能なアンテナを含む。受信部１１０で受信された放送電波は、音声信号とデータ信号とが多重されたまま制御部１４０に送られる。
【００３３】
操作部１２０は、操作者から各種の入力を受け付けるため、例えば、図示しないが、放送受信装置１００の主電源のオン／オフの切り替え電源ボタンと、操作者から放送局の選択を受け付ける選局ボタンと、出力音声の音量を調節する音量調節ボタンとを含む。他の例において、操作部１２０は、本実施形態に挙げるボタン以外のボタンにより構成されていてもよく、タッチパネルやダイヤルなど、他の手段で操作を入力可能であってもよい。
【００３４】
記憶装置１３０は、制御プログラム１３１を記憶する。制御プログラム１３１は、後述の制御部１４０の演算処理装置１４２によって読み出されて、演算処理装置１４２に第１制御方法と第２制御方法との一部を行うための機能、及び他の機能を実装させる。演算処理装置１４２が種々の機能を実行するとき、記憶装置１３０は、演算処理装置１４２に制御されて、適宜、ＰＳ情報とＲＴ情報とを含む様々な情報を記憶する。記憶装置１３０は、非一時的な有形の記憶媒体である。記憶装置１３０は、ＲＯＭ（Ｒｅａｄ  ｏｎｌｙ  ｍｅｍｏｒｙ）及びＲＡＭ（Ｒａｎｄｏｍ  ａｃｃｅｓｓ  ｍｅｍｏｒｙ）を含む。記憶装置１３０は、揮発性または不揮発性の記憶媒体である。記憶装置１３０は、取り外し可能であってもよく、取り外し不能であってもよい。
【００３５】
制御部１４０は、データ信号取得部１４１と演算処理装置１４２とを含む。本実施形態の制御部１４０では、データ信号取得部１４１が、特定用途向け集積回路（ＡＳＩＣ：Ａｐｐｌｉｃａｔｉｏｎ  ｓｐｅｃｉｆｉｃ  ｉｎｔｅｇｒａｔｅｄ  ｃｉｒｃｕｉｔｓ）で構成され、演算処理装置１４２が汎用コンピュータにより構成されている。他の例において、制御部１４０は、汎用コンピュータであってもよく、本実施形態で説明される各機能を実装可能な他の回路であってもよい。演算処理装置１４２は、ＡＳＩＣであってもよく、本実施形態で説明される各機能を実装可能な他の回路であってもよい。
【００３６】
データ信号取得部１４１は、受信部１１０から受け取った放送電波を分離して、音声信号とデータ信号とを取得する。データ信号取得部１４１は、音声信号を音声信号処理装置１５０に送り、データ信号を演算処理装置１４２に送る。
【００３７】
演算処理装置１４２は、記憶装置１３０に記憶された制御プログラム１３１を読み出して実行することにより、文字情報取得部１４３と放送局名特定部１４４として機能する。
【００３８】
文字情報取得部１４３は、従来と同様に、データ信号から第１文字情報（すなわち、ＰＳ情報）と第２文字情報（すなわち、ＲＴ情報）とを取得する。文字情報取得部１４３は、第１文字情報と第２文字情報とではない他の文字情報を取得してもよい。さらに、文字情報取得部１４３は、直近に受信された１０個の第１文字情報と、直近に受信された１つの第２文字情報とを記憶装置１３０に記憶する。記憶する第１文字情報の個数は、１０個より多くても少なくてもよい。記憶する第２文字情報の個数は、複数であってもよい。
【００３９】
放送局名特定部１４４は、後述のように第１文字情報と第２文字情報との比較結果に基づいて、受信された放送電波の送信元である放送局名を特定する。
【００４０】
音声信号処理装置１５０は、例えばスピーカーを含み、制御部１４０のデータ信号取得部１４１から送られる音声信号に基づいて音声を再生する。表示装置１６０は、例えば液晶ディスプレイを含み、放送局名特定部１４４の指示により、特定された放送局名を表示する。表示装置１６０は、文字情報取得部１４３の指示により、取得された第２文字情報を適宜のタイミングで表示する。
【００４１】
（第１制御方法）
図２は、図１に示す放送受信装置１００の第１制御方法を説明するためのフロー図である。第１制御方法は、放送局を特定する前の準備工程である。以下、図２を参照して第１制御方法について説明する。第１制御方法は、一例において、操作部１２０により主電源がオンにされたときに実行されるか、操作部１２０により放送局の選択が変更されたときに実行されるか、放送局が選択された状態で定期的に実行される。
【００４２】
ステップ１７１において、受信部１１０が、放送電波を受信し始める。
【００４３】
ステップ１７１の後、ステップ１７２において、データ信号取得部１４１は、受信部１１０で受信された放送電波からデータ信号を取得して演算処理装置１４２に送る。データ信号取得部１４１は、受信部１１０で受信された放送電波から取得した音声信号を音声信号処理装置１５０に送る。
【００４４】
ステップ１７２の次、ステップ１７３において、文字情報取得部１４３は、データ信号取得部１４１で取得されたデータ信号に第１文字情報と第２文字情報との少なくとも一方が含まれていれば、含まれる第１文字情報と第２文字情報とを記憶装置１３０に記憶させる。
【００４５】
図３は、第１文字情報を記憶する第１文字情報テーブル２１０の一例を示す。第１文字情報テーブル２１０は、１０個の第１文字情報２１１−１〜第１文字情報２１１−１０（以下、区別せずに第１文字情報２１１と呼ぶ場合がある）を記憶する。既に１０個の第１文字情報２１１が記憶されている場合、古い第１文字情報２１１が新しい第１文字情報２１１で書き換えられる。一例において、第１文字情報２１１は、「ＺＺＺＺＺ−ＦＭ」、「ＡＡＡＡＡＡＡＡ」、または「ＢＢＢＢＢＢＢＢ」である。第１文字情報２１１は、他の文字列の場合もある。第１文字情報２１１として、放送局名が含まれている可能性も、放送局名が含まれていない可能性もある。
【００４６】
図４は、第２文字情報を記憶する第２文字情報テーブル２２０の一例を示す。第２文字情報テーブル２２０は、１個の第２文字情報２２１を記憶する。既に第２文字情報２２１が記憶されている場合、古い第２文字情報２２１が新しい第２文字情報２２１で書き換えられる。一例において、第２文字情報２２１は、「ＡＡＡＡＡＡＡＡ」と「ＢＢＢＢＢＢＢＢ」と「ＣＣＣＣＣＣＣＣ」と「ＤＤＤＤＤＤＤＤ」と「ＥＥＥＥＥＥＥＥ」と「ＦＦＦＦＦＦＦＦ」と「ＧＧＧＧＧＧＧＧ」と「ＨＨＨＨＨＨＨＨ」との８文字の文字列が順に並んで構成される６４文字の文字列である。
【００４７】
本実施形態では、説明の便宜上、第１文字情報２１１及び第２文字情報２２１として意味の無い文字列を記載しているが、実際には、放送局名、「Ｈｅｌｌｏ」などの単語、ウェブサイトのアドレスなど、意味のある文字列が送信されることが多い。第１文字情報と第２文字情報との送信タイミング及び送信頻度は、放送局の判断により同じ場合も異なる場合もあり得る。一例において、第２文字情報が送信されてから、次の第２文字情報が送信されるまでに、第１文字情報が数回から十数回送信される。
【００４８】
図２に示すステップ１７３の後、ステップ１７４において、放送局名特定部１４４は、所定の条件が満たされたか判定する。所定の条件とは、１０個の第１文字情報２１１（図３）が記憶され、１個の第２文字情報２２１（図４）が記憶されることである。他の例において、所定の条件は、例えば、既に記憶された１０個の第１文字情報の一部が、新たに受信された第１文字情報により書き換えられることである。他の例において、所定の条件は、例えば、既に記憶された第２文字情報２２１（図４）が、新たに受信された第２文字情報２２１（図４）により書き換えられることである。
【００４９】
ステップ１７４において、所定の条件が満たされていると判定された場合、第１制御方法が終了する。ステップ１７４において、所定の条件が満たされていると判定されない場合、ステップ１７２からステップ１７４が再度実行される。
【００５０】
（第２制御方法）
図５は、図１に示す放送受信装置１００の第２制御方法を説明するためのフロー図である。放送受信装置１００は、第２制御方法により、受信された放送電波を送信している放送局名を特定する。以下、図５を参照して第２制御方法について説明する。一例において、第２制御方法は、図２に示す第１制御方法が終了した後に実行される。他の例において、第２制御方法の実行中に、第１文字情報２１１（図３）と第２文字情報２２１（図４）との一部が書き換えられてもよい。
【００５１】
図６の第１判定テーブル２３０−１と図７の第２判定テーブル２３０−２と図８の第３判定テーブル２３０−３と図９の第４判定テーブル２３０−４と図１０の第５判定テーブル２３０−５とは、第２制御方法において、放送局名特定部１４４が作成して、記憶装置１３０（図１）に記憶させる情報の例を示す。以下、第１判定テーブル２３０−１〜第５判定テーブル２３０−５を区別せずに、判定テーブル２３０と呼ぶ場合がある。
【００５２】
説明の便宜上、図７に示す例示的な判定テーブル２３０は、図３に示す例示的な第１文字情報２１１と、図４に示す例示的な第２文字情報２２１とに基づいて作成されるものとする。また、図６と図８と図９と図１０とに示す例示的な判定テーブル２３０は、図３及び図４に示す例の場合とは異なるタイミングで取得された第１文字情報と第２文字情報とに基づいて作成されるものとする。図６から図１０の例示的な判定テーブル２３０は、同じ放送局から受信した第１文字情報に基づいて作成されるとは限らない。図６から図１０の例は、すべての事例を網羅するわけではない。
【００５３】
図５に示すステップ１８１において、放送局名特定部１４４（図１）は、異なる時点で取得された複数の第１文字情報から、第１文字情報として１回以上現れる１種類以上の候補文字列を抽出する。
【００５４】
例えば、図６の例では、第１判定テーブル２３０−１の候補文字列欄２３１−１に示すように、「ＺＺＺＺＺ−ＦＭ」が唯一の候補文字列である。すなわち、図６の例では、記憶された１０個の第１文字情報がすべて「ＺＺＺＺＺ−ＦＭ」である。図７の例において、第２判定テーブル２３０−２の候補文字列欄２３１−２に示す候補文字列は、図３の第１文字情報テーブル２１０に記憶された１０個の第１文字情報２１１から得られる。図７の例では、候補文字列は、「ＺＺＺＺＺ−ＦＭ」と「ＡＡＡＡＡＡＡＡ」と「ＢＢＢＢＢＢＢＢ」との３つである。
【００５５】
図８の例では、第３判定テーブル２３０−３の候補文字列欄２３１−３に示すように、候補文字列は、「ＺＺＺＺＺ−ＦＭ」と「ＡＡＡＡＡＡＡＡ」と「ＢＢＢＢＢＢＢＢ」との３つである。図９の例では、第４判定テーブル２３０−４の候補文字列欄２３１−４に示すように、候補文字列は、「ＺＺＺＺＺ−ＦＭ」と「ＹＹＹＹＹＹＹＹ」と「ＸＸＸＸＸＸＸＸ」との３つである。図１０の例では、第５判定テーブル２３０−５の候補文字列欄２３１−５に示すように、候補文字列は、「ＺＺＺＺＺ−ＦＭ」と「ＡＡＡＡＡＡＡＡ」と「ＢＢＢＢＢＢＢＢ」との３つである。
【００５６】
図５に示すステップ１８１の後、ステップ１８２において、放送局名特定部１４４は、候補文字列が１種類か否かを判定する。ステップ１８２において、候補文字列が１種類であると判定された場合、放送局名特定部１４４は、ステップ１８３において、抽出された候補文字列を放送局名として特定し、第２制御方法を終了する。ステップ１８２において、候補文字列が１種類であると判定されない場合、放送局名特定部１４４は、ステップ１８４に進む。
【００５７】
例えば、図６の例では、候補文字列欄２３１−１に示すように、候補文字列が「ＺＺＺＺＺ−ＦＭ」だけであるので、「ＺＺＺＺＺ−ＦＭ」が放送局名として特定される。第１文字情報は、規格上、放送局名を伝達するものである。従って、候補文字列が１種類である場合、その候補文字列が放送局名を表す可能性が極めて高い。図７から図１０の例では、候補文字列が２種類以上あるので、放送局名特定部１４４は、ステップ１８４に進む。
【００５８】
図５に示すステップ１８４において、放送局名特定部１４４は、候補文字列と第２文字情報とを比較することにより、間接的に、第１文字情報と第２文字情報とを比較する。ステップ１８４の比較結果は、第２文字情報に含まれない候補文字列の種類数を表す。
【００５９】
図７の含有判定欄２３２−２は、候補文字列欄２３１−２に示す候補文字列が第２文字情報２２１（図４）に含まれるか否かを示す。図７の例では、「ＺＺＺＺＺ−ＦＭ」が第２文字情報２２１（図４）に含まれず、「ＡＡＡＡＡＡＡＡ」と「ＢＢＢＢＢＢＢＢ」とが第２文字情報２２１（図４）に含まれるので、比較結果は「１種類」である。図８の含有判定欄２３２−３は、候補文字列欄２３１−３に示す候補文字列が第２文字情報に含まれるか否かを示す。図８の例では、すべての候補文字列が第２文字情報に含まれるので、比較結果は「０種類」である。
【００６０】
図９の含有判定欄２３２−４は、候補文字列欄２３１−４に示す候補文字列が第２文字情報に含まれるか否かを示す。図９の例では、すべての候補文字列が第２文字情報に含まれないので、比較結果は「３種類」である。図１０の含有判定欄２３２−５は、候補文字列欄２３１−５に示す候補文字列が第２文字情報に含まれるか否かを示す。図１０の例では、すべての候補文字列が第２文字情報に含まれるので、比較結果は「０種類」である。
【００６１】
図５に示すステップ１８４の後、ステップ１８５において、放送局名特定部１４４は、ステップ１８４の比較結果に基づいて第２文字情報に含まれない候補文字列が１種類であるか否か判定する。放送局名特定部１４４は、第２文字情報に含まれない候補文字列が１種類であると判定した場合、ステップ１８６において、第２文字情報に含まれない候補文字列を放送局名として特定し、第２制御方法を終了する。第２文字情報に含まれない候補文字列が１種類であると判定されない場合、放送局名特定部１４４は、ステップ１８７に進む。
【００６２】
図７の例では、第２文字情報（図４）に含まれない候補文字列が「ＺＺＺＺＺ−ＦＭ」だけであるので、「ＺＺＺＺＺ−ＦＭ」が放送局名として特定される。第１文字情報は、規格上、放送局名を伝達するものであるのに対して、第２文字情報は放送局名に限らない種々の情報を伝達するものである。しかも、文字情報の効率的な活用の観点から、第１文字情報に放送局の情報が含まれる時には、第２文字情報には放送局名以外の情報が含まれるようにする場合が多い。従って、第２文字情報（図４）に含まれない候補文字列が１種類である場合、第２文字情報（図４）に含まれない候補文字列が放送局名を表す可能性が極めて高い。
【００６３】
図８から図１０の例では、比較結果が「０種類」または「３種類」であるので、放送局名特定部１４４は、ステップ１８７に進む。
【００６４】
図５に示すステップ１８７において、放送局名特定部１４４は、候補文字列ごとに、候補文字列の抽出元である複数の第１文字情報における候補文字列の出現頻度を数える。
【００６５】
図８の出現頻度欄２３３−３と図９の出現頻度欄２３３−４と図１０の出現頻度欄２３３−５とは、それぞれの例における候補文字列ごとの出現頻度を示す。図８の例では、「ＺＺＺＺＺ−ＦＭ」の出現頻度は「５」であり、「ＡＡＡＡＡＡＡＡ」の出現頻度は「３」であり、「ＢＢＢＢＢＢＢＢ」の出現頻度は「２」である。図９の例では、「ＺＺＺＺＺ−ＦＭ」の出現頻度は「５」であり、「ＹＹＹＹＹＹＹＹ」の出現頻度は「４」であり、「ＸＸＸＸＸＸＸＸ」の出現頻度は「１」である。図１０の例では、「ＺＺＺＺＺ−ＦＭ」の出現頻度は「４」であり、「ＡＡＡＡＡＡＡＡ」の出現頻度は「４」であり、「ＢＢＢＢＢＢＢＢ」の出現頻度は「２」である。
【００６６】
図５に示すステップ１８７の後、ステップ１８８において、放送局名特定部１４４は、第１文字情報として１回以上現れる候補文字列のうち、出現頻度の最も多い候補文字列が１種類であるか否か判定する。放送局名特定部１４４は、出現頻度の最も多い候補文字列が１種類であると判定した場合、ステップ１８９に進み、出現頻度の最も多い候補文字列を放送局名として特定して、第２制御方法を終了する。このようにして、放送局名特定部１４４は、比較結果と出現頻度とに基づいて放送局名を特定する。出現頻度の最も多い候補文字列が１種類であると判定されない場合、放送局名特定部１４４は、ステップ１９０に進む。
【００６７】
図８の例では、出現頻度の最も多い候補文字列が「ＺＺＺＺＺ−ＦＭ」だけであるので、「ＺＺＺＺＺ−ＦＭ」が放送局名として特定される。図９の例でも、出現頻度の最も多い候補文字列が「ＺＺＺＺＺ−ＦＭ」だけであるので、「ＺＺＺＺＺ−ＦＭ」が放送局名として特定される。図１０の例では、出現頻度の最も多い候補文字列が「ＺＺＺＺＺ−ＦＭ」と「ＡＡＡＡＡＡＡＡ」との２つであるので、放送局名特定部１４４は、ステップ１９０に進む。
【００６８】
図５に示すステップ１９０において、放送局名特定部１４４は、候補文字列と、放送局名に含まれる可能性の高い所定のキーワードとを比較する。所定のキーワードとして、「ＦＭ」と「Ｓｔａｔｉｏｎ」とが予め記憶装置１３０に記憶されている。他の例において、所定のキーワードは、他の文字列でもよい。
【００６９】
図１０のキーワード欄２３３−５は、候補文字列欄２３１−５の候補文字列が所定のキーワードと一致するか否かを示す。図１０の例では、「ＺＺＺＺＺ−ＦＭ」のみがキーワード「ＦＭ」に一致する。
【００７０】
図５に示すステップ１９０の後、ステップ１９１において、放送局名特定部１４４は、少なくとも１つの所定のキーワードを含む候補文字列が１種類であるか否か判定する。放送局名特定部１４４は、少なくとも１つの所定のキーワードを含む候補文字列が１種類であると判定した場合、ステップ１９２において、少なくとも１つの所定のキーワードを含む候補文字列を、放送局名として特定し、第２制御方法を終了する。このようにして、放送局名特定部１４４は、候補文字列と１つ以上の所定のキーワードとの比較結果に基づいて放送局名を特定することにより、間接的に、第１文字情報と１つ以上のキーワードとの比較結果に基づいて放送局名を特定する。
【００７１】
図１０の例では、所定のキーワードを含む候補文字列が「ＺＺＺＺＺ−ＦＭ」のみであるので、「ＺＺＺＺＺ−ＦＭ」が放送局名として特定される。
【００７２】
少なくとも１つの所定のキーワードを含む候補文字列が１種類であると判定されない場合、放送局名特定部１４４は、ステップ１９３において、放送局名を特定しないことを決定し、第２制御方法を終了する。
【００７３】
（まとめ）
本実施形態によれば、すべての放送局名を記憶しておく必要がなく、かつ、記憶された放送局名のすべてと第１文字情報とを比較する必要がないため、小さな記憶容量で迅速に放送局名を特定できる。
【００７４】
本実施形態によれば、放送局名特定部１４４が、異なる時点で取得された複数の第１文字情報から、第１文字情報として１回以上現れる１種類以上の候補文字列を抽出し、放送局名特定部１４４が、候補文字列と第２文字情報とを比較することにより比較結果を取得し、放送局名特定部１４４が、比較結果に基づいて第２文字情報に含まれない候補文字列が１種類であると判定した場合、第２文字情報に含まれない候補文字列を放送局名として特定するので、放送局名でない可能性の高い第２文字情報に含まれる候補文字列を排除して、正確に放送局名を特定することができる。
【００７５】
本実施形態によれば、放送局名特定部１４４が、候補文字列ごとに、複数の第１文字情報における候補文字列の出現頻度を数え、放送局名特定部１４４が、比較結果と出現頻度とに基づいて放送局名を特定するので、放送局名を伝達するための第１文字情報は放送局名を伝達する可能性が高いという推定に基づいて、正確に放送局名を特定することができる。
【００７６】
本実施形態によれば、放送局名特定部１４４は、比較結果に基づいて第２文字情報に含まれない候補文字列が１種類でないと判定されることと、第１文字情報として１回以上現れる１種類以上の候補文字列のうち出現頻度の最も多い候補文字列が１種類であることとの両方が満たされるとき、出現頻度の最も多い候補文字列を放送局名として特定するので、出現頻度を反映してさらに正確に放送局名を特定することができる。これは、放送局名を伝達するための第１文字情報は放送局名を伝達する可能性が高いという推定に基づく。なお、第２文字情報に含まれない候補文字列が１種類であると判定されない場合として、第２文字情報に含まれない候補文字列が２種類以上であると判定される場合と、すべての候補文字列が第２文字情報に含まれると判定される場合との少なくとも一方が含まれる。
【００７７】
本実施形態によれば、放送局名特定部１４４は、比較結果に基づいて第２文字情報に含まれない候補文字列が１種類でないと判定されることと、第１文字情報として１回以上現れる１種類以上の候補文字列のうち出現頻度の最も多い候補文字列が２種類以上であることとの両方が満たされるとき、少なくとも１つのキーワードを含む候補文字列を、放送局名として特定するので、放送局名に含まれる可能性の高いキーワードを予め用意しておくことで、放送局名の特定精度を高めることができる。
【００７８】
本実施形態によれば、放送局名特定部１４４が、さらに、第１文字情報と１つ以上のキーワードとの比較結果に基づいて放送局名を特定するので、放送局名の特定に関連するキーワードを予め用意しておくことで、放送局名の特定精度を高めることができる。
【００７９】
（変形例）
他の例において、放送局名特定部１４４は、異なるタイミングで取得された複数の第１文字情報が互いに異なることに応答して、放送局名を特定することを開始する。
【００８０】
本変形例によれば、ダイナミックＰＳ方式で第１文字情報が送信された可能性の高い場合に、正確に放送局名を特定することができる。また、ＲＤＳの規格に従って第１文字情報が送信された可能性の高い場合に、第２制御方法を実行に必要な処理を省略して、放送受信装置１００の処理負荷を軽減できる。
【００８１】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００８２】
本発明は、放送局名を伝達するための第１文字情報と放送局名以外の文字情報を含む第２文字情報とを音声信号に多重化した放送電波を受信する種々の放送受信装置に適用可能である。放送受信装置は、ＦＭラジオ放送専用の受信器でもよく、ＡＭラジオ放送を受信する機能を備えてもよく、車両に搭載された放送受信装置でもよく、車両のナビゲーション機能などの他の機能を備える装置の一部でもよく、他の地域の放送を受信する機能を備えてもよい。
【符号の説明】
【００８３】
１００…放送受信装置
１１０…受信部
１３１…制御プログラム
１４１…データ信号取得部
１４３…文字情報取得部
１４４…放送局名特定部
２１１…第１文字情報
２２１…第２文字情報
【図１】
2018152658.tif 000003
【図２】
2018152658.tif 000004
【図３】
2018152658.tif 000005
【図４】
2018152658.tif 000006
【図５】
2018152658.tif 000007
【図６】
2018152658.tif 000008
【図７】
2018152658.tif 000009
【図８】
2018152658.tif 000010
【図９】
2018152658.tif 000011
【図１０】
2018152658.tif 000012